(57)【要約】      （修正有）【課題】ＧＰＳ装置が着脱自在である磁気ネックレスを提供する。【解決手段】磁気ネックレス１は、球状の磁石が所定位置に配置された磁気ネックレス本体部２と、磁気ネックレス本体部に吊下されるネックレストップ部３とによって構成され、さらに、ネックレストップ部が、磁気ネックレスに吊下される磁性体からなる吊下部と、磁力を発生させるための磁石６及びＧＰＳ発信機７を具備するトップ部５とによって構成される。【選択図】図１
0003219870.tif 000002
【実用新案登録請求の範囲】
【請求項１】
球状の磁石が所定位置に配置された磁気ネックレス本体部と、
該磁気ネックレス本体部に吊下されるネックレストップ部とによって構成され、
さらに、前記ネックレストップ部が、前記磁気ネックレスに吊下される磁性体からなる吊下部と、磁力を発生させるための磁石及びＧＰＳ発信機を具備するトップ部とによって構成されることを特徴とするＧＰＳ発信機付きの磁気ネックレス。
【請求項２】
前記ＧＰＳ発信機の周囲には、非磁性体からなる磁力保護部が設けられることを特徴とするＧＰＳ発信機付きの磁気ネックレス。
【考案の詳細な説明】
【技術分野】
【０００１】
この考案は、ＧＰＳ発信機付きの磁気ネックレスの関する。
【背景技術】
【０００２】
特許文献１（特開２０００−１２５３４０号公報）は、ＧＰＳを用いた位置探査システムに関し、特に徘徊の可能性がある老人に取り付け、老人の限位置を知る徘徊老人探査システムに関するもので、ＧＰＳ衛星を利用して得た位置情報を基に、移動局を所持する老人の現在位置を基地局を有する家庭で把握する徘徊老人探査システムにおいて、前記移動局には、ＧＰＳ信号から取得した位置情報をＤＴＭＦ信号に変換し、該ＤＴＭＦ信号の前後に無音信号を付加して出力する信号変換手段と、音声の入力による温泉信号の無音部にノイズを加算して出力する音声出力手段と、上記信号変換手段と上記音声出力手段との出力を一定期間ごとに切り替える切り替え手段と、上記切り替え手段から受信した信号を基地局へ送信する携帯端末とが設けられ、上記基地局は、上記検体端末から受信したＤＴＭＦ信号を検出するＤＴＭＦ信号検出手段と、上記ＤＴＭＦ信号検出手段により検出した上記ＤＴＭＦ信号を逆変換する逆変換手段と、上記ノイズが加算された音声信号からノイズを除去するノイズ除去手段とを備える徘徊老人探査システムが開示される。これによって、基地局側ではコマンドの送受信によらずに移動局の位置情報を音声と共に定期的えることができるため、基地局の利用者は会話を中断することなく老人の正確な位置を把握することができるものである。
【０００３】
特許文献２（特許第５８７３９４６号公報）は、本人を特定して救援する救援システムであって、アクセサリーに付されているシリアルナンバを、本人情報として保存している第１データベースと、前記本人情報を含むユーザ救援情報を、通信ネットワークを介して受信する第２データベースとを備え、前記第１データベースは、データ管理会社に設けられており、前記第２データベースは、救援団体に設けられており、前記シリアルナンバは、携帯通信装置によって前記第１データベースに送信され、前記第２データベースには、前記ユーザ救援情報に基づいて前記本人への救援指令をだすための救援プログラミングが内蔵されている救援システムを開示する。
【０００４】
特許文献３（特開２０１８−１０２８４４号公報）は、リアルタイムで老人の行跡のビッグデータを収集及び把握し、老人の操作及び使用に便利な多機能老人行跡管理システムを提供する。この特許文献３の多機能老人行跡管理しすてむは、既存の杖を利用し、老人のビックデータ行跡管理を行って、複数の杖の行跡データの収集端末を介して、老人の行跡のビックデータ情報を収集した後、データ管理センターによって、前記老人の行跡のビックデータ情報を分析し、老人の行跡の規則データを取得し、老人のために有効なサービス提供できるものである。
【先行技術文献】
【特許文献】
【０００５】
【特許文献１】特開２０００−１２５３４０号公報
【特許文献２】特許第５８７３９４６号公報
【特許文献３】特開２０１８−１０２８４４号公報
【考案の概要】
【考案が解決しようとする課題】
【０００６】
高齢化に伴って、認知症を患う人の数は年々増加をたどっており、このため徘徊の問題も増加している。これに対して、特許文献１に開示されるように、ＧＰＳを利用して徘徊者が所持する移動局の位置を検出するシステムが発明された。
【０００７】
同様に、特許文献２において、携帯通信装置が位置情報を入手するＧＰＳ機能を有する携帯通信端末であり、ＧＰＳ機能の位置情報に基づいてユーザの位置情報がデータ管理会社に送信されることが開示される。
【０００８】
さらに、特許文献３では、杖に仕込まれた位置追跡モジュールが、ＧＰＳ追跡又はモバイル基地局情報による位置追跡を利用するものであることが開示されている。
【０００９】
しかしながら、携帯通信装置や位置追跡モジュールが仕込まれた杖などは、徘徊者が所持することを忘れたり、徘徊者が落としたりする可能性があることから、徘徊者自身が常に身につけていることが必要であり、さらに徘徊者が身につけていることが負担にならないことが必要である。
【００１０】
このため、本考案は、ＧＰＳ装置が着脱自在である磁気ネックレスを提供するものである。
【課題を解決するための手段】
【００１１】
本考案に係るＧＰＳ発信機付きの磁気ネックレスは、球状の磁石が所定位置に配置された磁気ネックレス本体部と、該磁気ネックレス本体部に吊下されるネックレストップ部とによって構成され、さらに、前記ネックレストップ部が、前記磁気ネックレスに吊下される磁性体からなる吊下部と、磁力を発生させるための磁石及びＧＰＳ発信機を具備するトップ部とによって構成されることにある。
【００１２】
これによって、磁気ネックレスを常時装着する対象者に、ＧＰＳ発信機を容易に且つ確実に装着することができるため、対象者の位置を確実に掌握することができるものである。
【００１３】
また、前記ＧＰＳ発信機の周囲には、非磁性体からなる磁力保護部が設けられることが望ましい。これによって、ネックレストップを吊下部に接着するための磁石に磁力によるＧＰＳ送信機への影響を減少させることができるものである。
【００１４】
また、ＧＰＳ発信機を装備したネックレストップを、磁性体からなる吊下部に容易に着脱自在とするために、両者の接触面積を調整する構造、例えば凸状部、突条などを設けても良いものである。
【考案の効果】
【００１５】
この考案によれば、磁気ネックレスを常時装着する対象者に、ＧＰＳ発信機を容易に装備することができるので、対象者がＧＰＳ発信機を肌身から離すことがないことから、対象者の位置を確実に検出することができるものである。
【図面の簡単な説明】
【００１６】
【図１】本考案に係る磁気ネックレスの全体図である。
【図２】（ａ）は本考案に係る磁気ネックレスの吊下部の平面図であり、（ｂ）はトップ部の平面図である。
【図３】ネックレストップ部の説明図である。
【考案を実施するための形態】
【００１７】
以下、この考案について図面により説明する。
【実施例】
【００１８】
図１に示すように、本考案に係る磁気ネックレス１は、球状の磁石が所定位置に配置された磁気ネックレス本体部２と、磁気ネックレス本体部２に吊下されるネックレストップ部３とによって構成され、さらに、前記ネックレストップ部３が、前記磁気ネックレス１に吊下される磁性体からなる吊下部４と、磁力を発生させるための磁石６及びＧＰＳ発信機７を具備するトップ部５とによって構成される。
【００１９】
前記磁気ネックレス１は、例えばその両端に配されたマグネット端子１Ａ，１Ｂが磁力接着されることで環状に形成され、対象者の首周縁に配置される。この磁気ネックレス１は、樹脂製の袋と、その袋の中に所定の間隔で配置される球状の磁石、樹脂球などによって構成される。
【００２０】
前記ネックレストップ部３は、前記磁気ネックレス１の下部に連結具９を介して吊下部４と、この吊下部４に着脱自在なトップ部５によって構成される。
【００２１】
前記吊下部４は、図２（ａ）に示すように、磁性体材料からなる円板状の保持部４ａと、前記連結部９ｂに連結される連結環４ｂとによって構成される。また、トップ部５は、前記吊下部４の保持部４ａに接着するための磁力を発生させる磁石部６と、ＧＰＳ発信機７とを具備する。また、ＧＰＳ発信機７の周囲には非磁性体からなる磁力保護部が設けられ、ＧＰＳ発信機７を磁石の強力な磁力から保護するものである。
【００２２】
このように、この考案によれば、対象者が身につける磁気ネックレス１にＧＰＳ発信機７を装着することができるため、対象者の位置を容易に検出できるものである。尚、ＧＰＳ発信機７による対象者の位置の検出については従来のＧＰＳの位置検出システムを使用するものである。
【符号の説明】
【００２３】
１  磁気ネックレス
２  磁気ネックレス本体部
３  ネックレストップ部
４  吊下部
５  トップ部
６  磁石部
７  ＧＰＳ発信機
【図１】
0003219870.tif 000003
【図２】
0003219870.tif 000004
【図３】
0003219870.tif 000005
【手続補正書】
【提出日】平成30年11月22日(2018.11.22)
【手続補正１】
【補正対象書類名】実用新案登録請求の範囲
【補正対象項目名】全文
【補正方法】変更
【補正の内容】
【実用新案登録請求の範囲】
【請求項１】
球状の磁石が所定位置に配置された磁気ネックレス本体部と、
該磁気ネックレス本体部に吊下されるネックレストップ部とによって構成され、
さらに、前記ネックレストップ部が、前記磁気ネックレス本体部に吊下される磁性体からなる吊下部と、磁力を発生させるための磁石及びＧＰＳ発信機を具備するトップ部とによって構成されることを特徴とするＧＰＳ発信機付きの磁気ネックレス。
【請求項２】
前記ＧＰＳ発信機の周囲には、非磁性体からなる磁力保護部が設けられることを特徴とする請求項１記載のＧＰＳ発信機付きの磁気ネックレス。